(57)【特許請求の範囲】
【請求項１】
戸外又は屋内に設置された、下方の円筒状部分と上方の円錐状部分とを含む外殻部であって、前記円筒状部分は、円筒状のベースソケット部と前記ベースソケット部の上方に固定された１つ又は複数の円筒状の中間ソケット部とにより構成されている外殻部と、
前記外殻部内に配置される給水渦巻管であって、配水管側から供給された上水を流通させる給水管が上下方向に多層となるように渦巻き状に巻回されて成る給水渦巻管と、を備えており、
前記給水渦巻管は、前記ベースソケット部及び前記中間ソケット部中にそれぞれ予め収容されていた各給水渦巻管が互いに接続された状態で、前記ベースソケット部及び前記中間ソケット部により一体的に形成された内部空間内に配置されていることを特徴とする飲用水自動備蓄装置。
【請求項２】
前記各ソケット部内に予め収容されている各給水渦巻管は、少なくとも全長が１００ｍ以上の１つの給水管により構成されている、請求項１に記載の飲用水自動備蓄装置。
【請求項３】
戸外又は屋内に設置された、下方の円筒状部分と上方の円錐状部分とを含む外殻部と、
前記外殻部を構成する円筒状部分の内部に配置される給水渦巻管であって、配水管側から供給された上水を流通させる給水管が上下方向に多層となるように渦巻き状に巻回されて成る給水渦巻管と、を備えており、
前記外殻部を構成する円錐状部分は、その外表面が低摩擦素材により被覆又は構成されておりこれにより前記外表面は人が容易によじ登ることができないようになっている、ことを特徴とする飲用水自動備蓄装置。
【請求項４】
前記外殻部を構成する円錐状部分には、「食料品、災害用水タンク、手動式エアポンプ、蛇口の持ち手、懐中電灯、ライター又は寝袋などの、災害避難に使用可能な有体物」を配置する床部を有する空洞部が備えられている、請求項１に記載の飲用水自動備蓄装置。
【請求項５】
戸外に設置された、下方の円筒状部分と上方の円錐状部分とを含む外殻部であって、前記円筒状部分は、円筒状のベースソケット部と前記ベースソケット部の上方に固定された１つ又は複数の円筒状の中間ソケット部とにより構成されている外殻部と、
前記外殻部を構成する円筒状部分の内部に配置される給水渦巻管であって、配水管側から供給された上水を流通させる給水管が上下方向に多層となるように渦巻き状に巻回されて成る給水渦巻管と、を備えており、
前記給水渦巻管は、前記ベースソケット部及び前記中間ソケット部中にそれぞれ予め収容されていた各給水渦巻管が互いに接続された状態で、前記ベースソケット部及び前記中間ソケット部により一体的に形成された内部空間内に配置されており、前記円筒状部分の外壁側には、前記給水渦巻管の途中部分が接続された水栓が取り付けられている、ことを特徴とする飲用水自動備蓄装置。
【発明の詳細な説明】
【技術分野】
【０００１】
本発明は地震などの災害その他の緊急時に必要となる新鮮な飲用水を、公園、避難施設、集会所、公民館、役場、図書館などの行政施設において、病院、介護施設、飲食店、オフィスビル、マンションなどの比較的大型施設において、又は各家庭・住宅において、自動的に確保、備蓄できるようにした飲用水自動備蓄装置に関する。
【背景技術】
【０００２】
従来より、地震などの災害その他の緊急時に必要となる飲用水を確保するため、避難施設又は各家庭において飲用水入りペットボトルなどを備蓄しておくことなどが、行政機関等から推奨されている。
【０００３】
また、このような観点から、従来より、災害による断水時における飲用水の確保のため、各住宅の内壁等に給水管と接続した貯水タンクを設置して、この貯水タンクに給水管からの上水を常時備蓄しておくようにした災害時用貯水システムも提案されている（特許文献１参照）。
【先行技術文献】
【特許文献】
【０００４】
【特許文献１】実用新案登録第３２００８７０号公報
【発明の概要】
【発明が解決しようとする課題】
【０００５】
しかしながら、例えば特許文献１において提案されている災害時用貯水システムを実際に施行するためには、貯水タンクを特別に製造する費用が必要になり、また貯水タンクを各住宅の内壁等に取り付けて給水管と接続する作業の費用が必要になり、さらに貯水タンクの内部等を定期的に清掃する等のメンテナンスの費用などが必要になるなど、災害時用貯水システムを実際に設置し運用するためには多大なコストが必要となってしまうという問題があった。
【０００６】
本発明は、このような従来技術の問題点に着目して為されたものであって、特別な貯水タンクを製造し用意する必要がなく、貯水タンクを各住宅の内壁等に取り付けて給水管と接続する作業を行う必要がなく、さらに貯水タンクの内部等を定期的に清掃する等のメンテナンスの必要がなく、最初の取付けの場面においても運用開始後のメンテナンスの場面においても極めて低コストで実現可能な災害等の緊急時用の飲用水自動備蓄装置を提供することを目的とする。
【０００７】
また、本発明は、戸外又は建物内での設置場所や設置目的毎に異なる飲用水の必要量に対応できる容量を備えた備蓄装置を、当該設置場所・目的に応じて容易に且つ低コストで配置等することができる飲用水自動備蓄装置を提供することをも目的としている。
【０００８】
また、本発明は、飲用水を自動的に備蓄する施設を戸外又は屋内に設置する場合であっても、例えば戸外又は屋内において子供らが当該施設によじ登って遊んで怪我をするなどの恐れのない、安全で安心な飲用水自動備蓄装置を提供することをも目的としている。
【０００９】
また、本発明は、極めて低コストで、予想される数の避難住民が数日以上飲用等の利用をすることが可能な程度の量の飲用水を確保、備蓄することができる飲用水自動備蓄装置を提供することをも目的としている。
【００１０】
また、本発明は、災害等の緊急時において多人数が、戸外等において、容易に新鮮な飲用水を個別に飲用等利用できる飲用水自動備蓄装置を提供することをも目的としている。
【００１１】
さらに、本発明は、戸外又は屋内において災害に遭った住民が生存に必要な食料品、災害用水タンク、断水時に水を取り出す為の手動式エアポンプ、製品に付属する蛇口の持ち手、ライター、食器、ラジオ又は懐中電灯などの物品を確保し利用することができる飲用水自動備蓄装置を提供することをも目的としている。
【課題を解決するための手段】
【００１２】
以上のような課題を解決するための本発明による飲用水自動備蓄装置は、戸外又は屋内に設置される下方の平面円筒形部分と上方の円錐形部分とから成る外殻部と、配水管側から供給された上水をユーザー側に向けて流通させる給水管の一部が上下方向に多層となるように渦巻き状に巻回されて前記外殻部内に配置される給水渦巻管とを含むことを特徴とするものである。
【００１３】
また、本発明による飲用水自動備蓄装置は、戸外に独立に設置された基礎部と、前記基礎部の上に固定された外殻部であって下方の平面円筒形部分と上方の円錐形部分とから成る外殻部と、配水管側から供給された上水をユーザー側に向けて流通させる給水管の一部が上下方向に多層となるように渦巻き状に巻回されて前記外殻部内に配置される給水渦巻管とを含むことを特徴とするものである。
【００１４】
また、本発明による飲用水自動備蓄装置は、前記外殻部中の平面円筒形部分は、平面円筒形のベースソケット部と、前記ベースソケット部の上方に配置され前記ベースソケット部に対し固定された１つ又は複数の平面円筒形の中間ソケット部とにより構成されている。
【００１５】
また、本発明による飲用水自動備蓄装置は、戸外又は屋内に設置された、下方の円筒状部分と上方の円錐状部分とを含む外殻部であって、前記円筒状部分は、円筒状のベースソケット部と前記ベースソケット部の上方に固定された１つ又は複数の円筒状の中間ソケット部とにより構成されている外殻部と、前記外殻部内に配置される給水渦巻管であって、配水管側から供給された上水を流通させる給水管が上下方向に多層となるように渦巻き状に巻回されて成る給水渦巻管とを備え、前記給水渦巻管は、前記ベースソケット部及び前記中間ソケット部中にそれぞれ予め収容されていた各給水渦巻管が互いに接続された状態で、前記ベースソケット部及び前記中間ソケット部により一体的に形成された内部空間内に配置されていることを特徴とするものである。
【００１６】
また、本発明による飲用水自動備蓄装置においては、前記各ソケット部内に予め収容されている各給水渦巻管は、少なくとも全長が１００ｍ以上の１つの給水管により構成されていてもよい。
【００１７】
また、本発明による飲用水自動備蓄装置は、戸外又は屋内に設置された、下方の円筒状部分と上方の円錐状部分とを含む外殻部と、前記外殻部を構成する円筒状部分の内部に配置される給水渦巻管であって、配水管側から供給された上水を流通させる給水管が上下方向に多層となるように渦巻き状に巻回されて成る給水渦巻管と、を備えており、前記外殻部を構成する円錐状部分は、その外表面が低摩擦素材により被覆又は構成されておりこれにより前記外表面は人が容易によじ登ることができないようになっていることを特徴とするものである。
【００１８】
また、本発明による飲用水自動備蓄装置は、戸外に設置された、下方の円筒状部分と上方の円錐状部分とを含む外殻部と、前記外殻部を構成する円筒状部分の内部に配置される給水渦巻管であって、配水管側から供給された上水を流通させる給水管が上下方向に多層となるように渦巻き状に巻回されて成る給水渦巻管と、を備えており、前記外殻部を構成する円錐状部分には、「食料品、災害用水タンク、手動式エアポンプ、蛇口の持ち手、懐中電灯、ライター又は寝袋などの、災害避難に使用可能な有体物」を配置する床部を有する空洞部が備えられており、前記床部又は前記円錐状部分の外壁部には、前記災害避難に使用可能な有体物を前記空洞部に対して出し入れするための開口部及び前記開口部を開閉するための扉部が備えられていることを特徴とするものである。
【００１９】
さらに、本発明による飲用水自動備蓄装置は、戸外に設置された、下方の円筒状部分と上方の円錐状部分とを含む外殻部であって、前記円筒状部分は、円筒状のベースソケット部と前記ベースソケット部の上方に固定された１つ又は複数の円筒状の中間ソケット部とにより構成されている外殻部と、前記外殻部の円筒状部分の内部に配置された給水渦巻管であって、配水管側から供給された上水を流通させる給水管が上下方向に多層となるように渦巻き状に巻回されて成る給水渦巻管と、を備えており、前記給水渦巻管は、前記ベースソケット部及び前記中間ソケット部中にそれぞれ予め収容されていた各給水渦巻管が互いに接続された状態で、前記ベースソケット部及び前記中間ソケット部により一体的に形成された内部空間内に配置されており、前記円筒状部分の外壁側には、前記給水渦巻管の途中部分が接続された水栓が取り付けられていることを特徴とするものである。
【発明の効果】
【００２０】
本発明では、下方の平面円筒形部分と上方の円錐形部分とから成る外殻部の内部に、配水管側から供給された上水をユーザー側に向けて流通させる給水管の一部が上下方向に多層となるように渦巻き状に巻回されて成る給水渦巻管を配置するようにしたので、従来の災害等の緊急時用の飲用水備蓄装置と異なり、特別な貯水タンクを製造し用意する必要がなく、貯水タンクを住宅の内壁等に取り付けて給水管と接続する作業を行う必要がなく、さらに貯水タンクの内部等を定期的に清掃その他メンテナンス等する必要がなく、新鮮な飲用水を自動的に備蓄することができる。よって、本発明によれば、最初の取付けの場面においても運用開始後のメンテナンスの場面においても、極めて低コストに、災害等の緊急時に使用可能で新鮮な飲用水を自動的に備蓄できるようになる。
【００２１】
また、本発明において、特に、戸外に基礎部を設置し、この基礎部の上に、下方の平面円筒形部分と上方の円錐形部分とから成る外殻部を固定し、この外殻部の内部に、配水管側から供給された上水をユーザー側に向けて流通させる給水管の一部が上下方向に多層となるように渦巻き状に巻回されて成る給水渦巻管を配置するようにしたときは、上記の効果に加えて、災害等の緊急時において多人数が、戸外において新鮮な飲用水を容易に飲用等して利用できるようになる。
【００２２】
また、本発明において、前記給水渦巻管及びこれが内部に配置される外殻部中の平面円筒形部分を、前記基礎部に固定された平面円筒形のベースソケット部と、前記ベースソケット部の上方に配置され前記ベースソケット部に対し固定された１つ又は複数の平面円筒形の中間ソケット部との組み合わせにより構成すると共に、前記給水渦巻管を、前記各ソケット部中の各給水渦巻管が互いに接続された状態で、前記ベースソケット部及び前記中間ソケット部により一体的に形成された内部空間中に配置されるようにしたときは、戸外又は建物内での設置場所や設置目的毎に異なる飲用水の必要量に対応できる容量・サイズを備えた備蓄装置（給水渦巻管）を、当該設置の場所・目的に応じて容易に且つ低コストで設置等することができるようになる。すなわち、このような構成を備えた本発明においては、設置する場所の一日当たりに必要な上水量の予想値などに基づいて、前述のようにそれぞれ内部に一定の貯水容量・サイズを有する給水渦巻管を収容した各ベースソケット部及び１つ又は複数の中間ソケット部を任意の数だけ組み合わせるという簡単な作業により、当該設置の場所・目的に適した貯水容量・サイズを有する給水渦巻管を、極めて効率的に且つ低コストに配置、設置できるようになる。
【００２３】
また、本発明において、前記外殻部中の円錐形部分を、少なくともその外表面側を低摩擦部材により構成するか又はその外表面側を低摩擦性のコーティング剤で被覆するようにしたときは、戸外又は屋内において子供が前記外殻部の上によじ登って転落等して怪我をするなどの危険を防止することができ、本発明に係る備蓄装置を子供らにとっても安全かつ安心な施設として設置、運用できるようになる。
【００２４】
また、本発明において、前記各ソケット部に予め収容されている各給水渦巻管を、少なくとも全長が１００ｍ以上の１つの給水管により構成したときは、前記１００ｍ以上の給水管を巻回して得られた各給水渦巻管を１つ又は複数個、組み合わせるだけで、極めて低コストで、予想される数の避難住民が数日以上飲用等の利用をすることが可能な程度の量の飲用水を容易に確保、備蓄できるようになる。
【００２５】
また、本発明において、前記給水渦巻管の途中部分を前記外殻部中の前記平面円筒形部分の外側に設置される水栓に接続するようにしたときは、災害等の緊急時において多人数が、戸外等において、個別にかつ容易に新鮮な飲用水を飲用等利用できるようになる。
【００２６】
また、本発明において、前記外殻部中の円錐形部分内に、災害等の緊急時に必要となる物品及び食料品を配置若しくは収容可能な床部を有する内部空間又は空洞部を形成するようにしたときは、災害等の緊急時において、多くの住民が、前記給水渦巻管からの飲用水を利用できるだけでなく、前記外殻部中の円錐形部分の内部空間に配置又は収容された食料品、災害用水タンク、断水時に水を取り出す為の手動式エアポンプ、製品に付属する蛇口の持ち手、ライター、食器、ラジオ及び懐中電灯などの物品をも利用できるようになる。
【００２７】
さらに、本発明において、前記外殻部に外気の温度を測定する温度センサからの信号に基づいて又は作業者によるスイッチ操作等に基づいて作動するヒーターを内蔵するようにしたときは、極寒又は融雪地帯において寒冷により前記外殻部内の給水渦巻管が劣化又は破裂等することを防止することができる。
【図面の簡単な説明】
【００２８】
【図１】本発明の実施形態による飲用水自動備蓄装置の外観等を示す斜視図である。
【図２】本実施形態の中央縦断面図である。
【図３】本実施形態の平断面図である。
【図４】本実施形態を複数の主要部品に分解して示す正面図である。
【発明を実施するための形態】
【００２９】
以下、本発明の実施形態を図面を用いて説明する。図１は本発明の一実施形態に係る飲用水自動備蓄装置の外観等を示す斜視図、図２はその中央縦断面図、図３はその平断面図、図４は本実施形態を複数の主要部品に分解して示す正面図である。
【００３０】
図１−４において、１は外殻部の一部を構成する平面円筒形のベースソケット部、２は前記ベースソケット部１の上方に配置、固定され、外殻部の一部を構成する平面円筒形の中間ソケット部、３は前記中間ソケット部２の上方に配置、固定され、外殻部の一部を構成する他の中間ソケット部、４は前記中間ソケット部３の上方に配置、固定され、外殻部の一部を構成する、外観が円錐形に形成されているトップソケット部である。
【００３１】
本実施形態では、例えば高さ約８０ｃｍの円筒型ベースソケット部１、高さ約６０ｃｍの円筒型中間ソケット部２及び３、並びに高さ約６０ｃｍの円錐型トップソケット部４から成る段組みロケット型の装置として構成されている。このようにして構成された本実施形態に係る装置の全体サイズは、概ね、高さは標準タイプとして約２．６ｍ、直径は約１．３ｍ程度である。前記ベースソケット部１、並びに前記中間ソケット部２及び３は、その内部が、上方の蓋部も下方の底部もない空洞部となっている。
【００３２】
前記ベースソケット部１、並びに前記中間ソケット部２及び３の外装は、例えばＦＲＰ（繊維強化プラスチック）で作成されている。また、前記各ソケット部１，２及び３の外周面には、例えば、防災イメージ色であるオレンジでカラーリングを施し、防災意識啓蒙の目的などから、例えば「ただの水  災害時には  生きる水。普段からの防災備蓄を。〇〇市」などの啓蒙の文言又は標語が表示されている。
【００３３】
次に図１−４において、５は、戸外に独立に設置される基礎部であって、その一部が地中に埋設、固定されるコンクリート製基礎部である。前記ベースソケット部１は、この基礎部５の上に固定されている。
【００３４】
また、図１−４において、８は前記ベースソケット部１並びに前記中間ソケット部２及び同３により一体的に構成される１つの内部空間内に配置される給水渦巻管である。前記給水渦巻管８は、従来より公知の給水装置において使用されている給水管（可とう性を有する、例えば内径２０ｍｍの架橋ポリエチレンなどの樹脂製管）と同じ給水管により構成されている。前記給水渦巻管８は、前記１本の給水管を、図２及び図３に示すように、柱部７の外周において全体として図２の上下方向に渡る円筒状となるような渦巻き状に巻回されて構成されている。
【００３５】
すなわち、本実施形態では、前記給水渦巻管８を構成する１本の給水管は、従来より公知の給水装置における給水管の一部（車道の地下などに埋設された配水管から地上の建物内の水栓まで延びる給水管の途中の一部）を構成するものである。前記給水渦巻管８を構成する１つの給水管は、その一端が前記配水管側の給水管に接続され、同他端が建物内の水栓側の給水管に接続されている。
【００３６】
また本実施形態において、前記ベースソケット部１、中間ソケット部２及び中間ソケット部３は、予め工場で製造される。これらのベースソケット部１、中間ソケット部２及び中間ソケット部３の内部には、それぞれ、例えば約４００ｍの被覆水道管（内径約２０ｍｍ。樹脂製）が渦巻き状に巻回されて成る各給水渦巻管８が予め配置、収容されている。このような各ソケット部１−３内にそれぞれ収容された各給水渦巻管８が備蓄できる水道量は、それぞれ約１２０リットルとなる。なお、前記給水渦巻管８には、断水時の水の逆流を防ぐための逆止弁及びウォーターハンマー防止装置などが予め組み込まれている。
【００３７】
本実施形態では、前記ベースソケット部１、中間ソケット部２及び中間ソケット部３は、本実施形態を設置する現場に搬送された後、図１に示すように互いに組み合わせられる。その際、これらのベースソケット部１、中間ソケット部２及び中間ソケット部３内にそれぞれ予め収容されていた各給水渦巻管８も、互いに接続され、これにより、全体として、１つの給水管が巻回された１つの給水渦巻管８(前記各ソケット部１−３中にそれぞれ予め収容されていた各給水渦巻管の給水管が互いに接続されて、１つの給水渦巻管８となったもの)となる。その結果、前記ベースソケット部１、中間ソケット部２及び中間ソケット部３中の１つの内部空間内に配置される１つの給水渦巻管８が備蓄できる水道量は、前記各ソケット１−３中にそれぞれ収容されていた各給水渦巻管の備蓄可能量（約１２０リットル）の３倍の約３６０リットルとなる。
【００３８】
このような給水渦巻管８は、配水管から各施設又は各家庭に上水を供給する給水管の一部がそのまま使用されているため、その中の水は各施設又は各家庭でユーザーが利用する限り常に新しく入れ替わるので、その中には新鮮で飲用可能な上水が常に満たされていることになる。
【００３９】
また、図１，２において、９は前記円錐形トップソケット部４の内部空間（食料品や物品等を配置できる床部を有する空洞部）である。図１，２に示すように、前記トップソケット部４には、その内部に災害等の非常時に必要となる食料品を配置、収容でき、さらに災害用水タンク、断水時に水を取り出す為の手動式エアポンプ、製品に付属する蛇口の持ち手、懐中電灯、ライター、寝袋等の様々な物品を配置、収容できる床部を有する内部空間９が形成されている。この内部空間９の床部又は前記トップソケット部４の外壁部には、前記食料品や物品を出し入れするためのハッチ（開口部）及び当該ハッチを開閉する扉が備えられている。
【００４０】
また、図１において、１０は前記ベースソケット部１の外側に備えられ前記給水渦巻管８の一部に接続され上水を取り出し可能な水栓（蛇口）である。前記水栓１０の持ち手は、通常は使えないように、前記トップソケット部４の内部空間９中に収納しておくようにする。
【００４１】
また、本実施形態では、前記トップソケット部４は、少なくともその外表面側を低摩擦部材により構成するか、又はその外表面側を低摩擦性コーティング剤（例えばフッソ樹脂、ポリイミド樹脂などを原料とするコーティング剤）で被覆するようにしている。これは、戸外又は屋内において子供が前記トップソケット部４の上によじ登って転落等して怪我をするなどの危険を防止するためである。
【００４２】
また、図２に示すように、本実施形態では、前記給水渦巻管８を構成する給水管として被覆管を使用しているので、これを保護するため、前記各ソケット部１，２及び３の内壁面側に断熱材６が張り付け、施工されている。また、本実施形態では、雪国等の寒冷地に設置する場合、前記各ソケット部１，２及び３の内壁内などに、被覆管である前記給水渦巻管８を保護するため、温度センサからの信号に基づいて自動的に作動するヒーター又は操作者のスイッチ操作により作動するヒーター（図示省略）が内蔵されている。
【００４３】
以上のように、本実施形態においては、前記ベースソケット部１、中間ソケット部２及び中間ソケット部３の内部に、配水管側から供給された上水をユーザー側に向けて流通させる給水管の一部が図示上下方向に多層となるように渦巻き状に巻回されて成る給水渦巻管８を配置するようにしたので、従来の災害等の緊急時用の飲用水備蓄装置と異なり、特別な貯水タンクを用意する必要がなく、貯水タンクを各住宅の内壁等に取り付けて給水管と接続する作業を行う必要がなく、さらに貯水タンクの内部等を定期的に清掃するなどのメンテナンスをする必要がなく、常に新鮮な飲用水を自動的に備蓄することができる。よって、本実施形態によれば、最初の取付けの場面においても運用開始後のメンテナンスの場面においても、極めて低コストに、災害等の緊急時に使用可能で新鮮な飲用水を自動的に備蓄できるようになる。
【００４４】
また、本実施形態においては、特に、戸外にコンクリート製の基礎部５を独立に設置し、この基礎部５の上に、前記ベースソケット部１、中間ソケット部２及び中間ソケット部３から成る外殻部を固定し、前記前記ベースソケット部１、中間ソケット部２及び中間ソケット部３の内部に、配水管側から供給された上水をユーザー側に向けて流通させる給水管の一部が上下方向に多層となるように渦巻き状に巻回されて成る給水渦巻管８を配置するようにしたので、災害等の緊急時において多人数が、戸外において容易に新鮮な飲用水を飲用等利用できるようになる。
【００４５】
また、本実施形態においては、前記給水渦巻管８が内部に配置される外殻部を、前記ベースソケット部１、中間ソケット部２及び中間ソケット部３を組み合わせた段組みロケット型の装置として構成したので、設置する場所において一日当たりに必要な上水量の予想値などに基づいて、そのような貯水量とすることが可能な容量・サイズの給水渦巻管８を、極めて効率的且つ低コストに配置できるようになる。すなわち、本実施形態においては、前述のようにそれぞれ内部に一定の貯水容量を有する各給水渦巻管８をそれぞれ収容した各ソケット部１，２及び３の１つ又は任意の複数個を互いに組み合わせるだけで、極めて低コストに、当該設置の場所・目的に適した貯水容量・サイズを有する給水渦巻管８を、配置、収容することができる。
【００４６】
また、本実施形態においては、前記トップソケット部４を、少なくともその外表面側が低摩擦部材により構成されるか又はその外表面側に低摩擦素材の被覆剤がコーティング、付着されているように構成した。よって、本実施形態によれば、戸外又は屋内において子供が前記外殻部の上によじ登って転落等して怪我をするなどの危険を防止することができ、本実施形態に係る装置を子供らにとっても安心で安全な施設として設置、運用できるようになる。
【００４７】
また、本実施形態においては、前記ベースソケット部１、中間ソケット部２及び中間ソケット部３にそれぞれ予め収容される各給水渦巻管８を、少なくとも全長が約１００ｍ以上、例えば約４００ｍ以上の給水管（内径約２０ｍｍ）により構成するようにした。よって、本実施形態によれば、前記約１００ｍ以上（好ましくは約４００ｍ以上の）の給水管を巻回して得られた各給水渦巻管を１つ又は複数個、図示上下方向に組み合わせるだけで、予想される多数の住民が数日以上飲用等の利用をすることが可能な程度の量の飲用水を容易に確保、備蓄できるようになる。
【００４８】
また、本実施形態においては、前記給水渦巻管８の途中部分に接続された水栓（蛇口）１０を、前記ベースソケット部１などの外殻部の外側に設置するようにしたので、災害等の緊急時において多くの住民が、戸外において、個別にかつ容易に、新鮮な飲用水を飲用等利用できるようになる。
【００４９】
また、本実施形態においては、前記トップソケット部４の内部に、災害等の緊急時に必要となる物品及び食料品を配置若しくは収容可能な内部空間（食料品や物品等を配置できる床部を有する空洞部）９を形成するようにしたので、災害等の緊急時において、多数の住民が、前記給水渦巻管８からの飲用水を利用できるだけでなく、前記トップソケット部４の内部空間９から取り出された非常時に必要な食料品及び物品をも利用できるようになる。
【００５０】
さらに、本実施形態においては、特に寒冷地仕様の装置として、前記ベースソケット部１、中間ソケット部２及び中間ソケット部３の内部に、外気の温度を測定する温度センサからの信号に基づいて又はスイッチ操作により作動するヒーターを内蔵するようにしたので、極寒又は融雪地帯において寒冷により前記外殻部内の給水渦巻管８が劣化又は破裂等することを防止することができる。
【００５１】
以上、本発明の実施形態について説明したが、本発明は前記実施形態として述べたものに限定されるものではなく、様々な修正及び変更が可能である。例えば、前記実施形態においては、主として公園その他の行政施設などの戸外に設置する場合を想定して説明したが、本発明においては、比較的小型の装置として、病院等の施設の内部に、又はマンションなどにおける各戸の室内又はベランダなどに設置することも可能である。このようにマンションなどの各戸の室内又はベランダなどに設置する場合は、前記ベースソケット部１の下方に底部を形成することにより、前記基礎部５（図１参照）を不要とすることができる。
【符号の説明】
【００５２】
１  ベースソケット部
２，３  中間ソケット部
４  トップソケット部
５  基礎部
６  断熱材
７  柱部
８  給水渦巻管
９  内部空間
１０  水栓（蛇口）
【要約】
【課題】特別な貯水タンクを製造、用意する必要がなく、貯水タンクを各住宅の内壁等に取り付けて給水管と接続する作業を行う必要がなく、さらに貯水タンクの内部等を定期的に清掃する等のメンテナンスの必要がなく、最初の取付けにおいても運用開始後のメンテナンスにおいても、極めて低コストで実現可能な、災害等の緊急時用の飲用水自動備蓄装置を提供する。
【構成】戸外又は屋内に設置される下方の平面円筒形部分と上方の円錐形部分とから成る外殻部と、配水管側から供給された上水をユーザー側に向けて流通させる給水管の一部が上下方向に多層となるように渦巻き状に巻回されて成り前記外殻部内に配置される給水渦巻管とを備えた飲用水自動備蓄装置である。
【選択図】    図１【図１】
0006735004.tif 000002
【図２】
0006735004.tif 000003
【図３】
0006735004.tif 000004
【図４】
0006735004.tif 000005